(57)【要約】【課題】  従来型のクラシックギター用マシンヘッドではギター本体を抱えながらギターヘッド部まで腕を伸ばすと体制的に不自然な姿勢になり、演奏中の調弦には限界があった。マシンヘッドの摘み部分がギターヘッド部にあることから背筋をまっすぐしたままの状態で調弦できず、演奏家の耳がサウンドホールに近くなり、音の差で生じるうねりを感知しづらく調弦が難しかった。【解決手段】  各弦が巻軸に結べる様に弦挿通孔を設け、巻軸の先端にはウオームホイールを設け、ウオームホイールの接触部分にはウオームホイールとかみ合うようにウオームギアを設け、各低・高音部の巻軸を３本分まとめてマシンヘッド本体で連結するように設けた事に於いて、軽量かつ耐久性のある部材を用いて、従来の木ペグの長さまで延長された摘み部分を設けた、調弦しやすいマシンヘッド。【選択図】図１
2016024455.tif 000002
【特許請求の範囲】
【請求項１】
各弦が巻軸に結べる様に弦挿通孔を設け、巻軸の先端にはウオームホイールを設け、ウオームホイールの接触部分にはウオームホイールとかみ合うようにウオームギアを設け、各低・高音部の巻軸を３本分まとめてマシンヘッド本体で連結するように設けた事に於いて、軽量かつ耐久性のある部材を用いて、従来の木ペグの長さまで延長された摘み部分を設けた、調弦しやすいマシンヘッド。
【発明の詳細な説明】
【技術分野】
【０００１】  本発明は、ギターを演奏する時に、調弦する為に用いるマシンヘッドに関するものである。
【背景技術】
【０００２】  従来型のクラシックギター用のマシンヘッドであり、摘みを回すこと巻軸が回り調弦できる。摘み中心部はギアから約２ｃｍ以内であり、ギターヘッドに近い位置に設置されている。【０００３】  ギター本体である共鳴箱を人間工学的に加工したことによって、身体がより良好な姿勢をとることを可能としたものが知られている（特許文献１）。また、ギター演奏中、足を広く開くことなく、背筋を伸ばした、自然な椅子座の姿勢で、棹側を高く保持して演奏できるギターの支持具が知られている（特許文献２）。
【先行技術文献】
【特許文献】
【０００４】
【特許文献１】特開２００７−５３２９６４号公報
【特許文献２】特開２００１−０３４２６３号公報
【発明の概要】
【発明が解決しようとする課題】
【０００５】  特許文献１では表面、側面、背面からなる従来型のギター本体の構造よりも多くの面を持ったことで、木材の継ぎ接ぎが増え、その結果、ギター自体の響きに悪影響を及ぼす問題点があった。特許文献２ではギターにクランプを装着させるためギター本体の振動が遮られ、音に悪影響を及ぼしていた問題点があった。【０００６】  従来型のクラシックギター用マシンヘッドではギターネックからギターヘッド部まで腕を伸ばした状態で調弦する必要があった。ギター本体を抱えながらギターヘッド部まで腕を伸ばすと不自然な姿勢になり、ギター本体を腕全体と横腹とで挟みながら固定する必要があった。この場合、腕全体と横腹で固定しようとする動作は人間工学的に不自然な動作となっていた。例えば、演奏中に調弦する場合には瞬時に調弦する必要があり、その不自然な姿勢から瞬時の調弦には限界があった。また、マシンヘッドの摘み部分がギターヘッド部近くにあることから背筋をまっすぐしたまま調弦できず、その結果、演奏家の耳がサウンドホールに近くなる。本来調弦時は各弦から発せられる音の差で生じるうねりを感知しながら調弦するのだが、耳がギターネックの方へ傾けないとマシンヘッドの摘み部分まで腕が届かない事から、音の差で生じるうねりを感知することは難しかった。【０００７】  従来のマシンヘッドの摘み部分はウオームホイールから２ｃｍ程度に設置されていた。摘み部分とマシンヘッドが近い理由は、当時の金属鋳造技術では長すぎると金属部分が折れやすくなることがあげられる。これは当時の鋳造技術が現代ほど高度でなかった為、長くするほど折れやすかった為である。また長くすると重量も重なり、音に悪影響する為でもある。しかしながら、従来のマシンヘッドはギアを使うことにより調弦は安定し、調弦しやすくなった。【０００８】  従来の木ペグの摘み部分は６ｃｍ程ギターヘッドから離れたところにある。この摘み部分位置は人間工学上、理想とされるものと思われる。しかし、従来の木ペグは木と木の摩擦で固定されるため調整が難しく、調弦に時間が掛かっていた。また調弦してもすぐ狂ってしまう。
本発明は、以上の問題点を解決する為になされたものである。
【課題を解決するための手段】
【０００９】  各弦が巻軸に結べる様に弦挿通孔を設け、巻軸の先端にはウオームホイールを設け、ウオームホイールの接触部分にはウオームホイールとかみ合うようにウオームギアを設け、各低・高音部の巻軸を３本分まとめてマシンヘッド本体で連結するように設けた事に於いて、軽量かつ耐久性のある部材を用いて、従来の木ペグの長さまで延長された摘み部分を設けた、調弦しやすいマシンヘッド。
【発明の効果】
【００１０】  本案糸巻具ではギターヘッド部へ腕を伸ばした状態で調弦する必要がなくなった。その結果、自然な姿勢でギター本体を抱えることが出来、摘み部分にも楽に手が届き、調弦も容易に出来る様になった。演奏中に調弦する場合には瞬時に調弦する必要があるが、その自然な姿勢と近距離に摘み部分がある事から、瞬時の調弦が可能になった。また、マシンヘッドの摘み部分がギターヘッド部から遠くなり、その身体に近くなる為、背筋をまっすぐしたまま調弦する事ができ、その結果、サウンドホールから演奏家の耳がより距離を置く事が出来る。調弦時は各弦から発せられる音の差で生じるうねりを感知しながら調弦するのだが、耳がギター本体から離れて調弦できるので音の差で生じるうねりを感知し易くなり、その結果調弦がしやすくなった。【００１１】  ギターから出る音というのは、ギター弦からの振動がギターネックや本体に振動して音を出している。その振動が伝わりやすければ易いほど振動が増幅され、世間でいういわゆる「良い音」が奏でることが出来る。本発明ではつまみ部分が長くなり人間工学的に調弦し易くなり、軽量な発泡アルミニウム材料や炭素繊維を使用する事でペグ自体の軽量化が図れ、ギター弦からの振動がギターネックやギター本体に良く伝わり結果、「良い音」を引き出すことが出来る。【００１２】  本案糸巻具は摘み部分を強度がある軽量な発泡アルミニウム材料や炭素繊維を使用する事で耐久性の問題を解決し、伝統的なフラメンコ用ギターのマシンヘッドである木ペグの長さ（約６ｃｍ）にすることでギター本来のあるべき姿勢で調弦する事が出来、調弦の効率を向上させたことにある。【００１３】  マシンヘッド摘み部分は伝統的なフラメンコギターによく見られる木ペグ（図４）に見立てたペグがある。ギターヘッド部から木ペグのように長いペグの形状は伝統的なスペイン式フラメンコ用本ペグの外見と一致している。その結果、伝統的なスペイン式フラメンコ用木ペグの外見は損なわらないまま調弦機能を向上させる事が可能になった。伝統的なスペイン式フラメンコ用木ペグの外見を維持する事で伝統継承派の愛好家から理解を得られ、アンダルシア地方特有文化であるアラベスク調様式の情緒を維持する事が出来、ライブや生演奏などで本発明を使用する事により演奏家は伝統的でより本格的なパフォーマンスが提供できる。
【図面の簡単な説明】
【００１４】
【図１】本発明の斜視図
【図２】本発明の使用状態を示す斜視図
【図３】従来の伝統的なクラシックギターマシンヘッドを示す斜視図
【図４】従来の伝統的な木ペグを示す斜視図
【図５】本発明のギアのかみ合い部分を示す正面図
【発明を実施するための形態】
【００１５】  以下、本発明の実施の形態を説明する。
イ）  図１に示すように、直径方向に弦挿通孔を透設した巻軸（３）を設ける。
ロ）  ギターには巻軸（３）が設置できるよう、溝（１１）と軸通孔（１０）が設けられている。
ハ）  この巻軸（３）の基部に取付けられたウオームギア（８）を備えるよう設ける
ニ）  巻軸はマシンヘッド本体（１）によって巻軸（３）３本とも連結するよう設ける。
ホ）  このウオームギア（８）を、手指で回転操作する木ペグに見立てた摘み部分（５）によって駆動し、これによって巻軸（３）を回転させる様設ける。
ヘ）  ペグ（４）とウオームホイール（２）の接触部分にはウオームホイール（２）とかみ合う様にウオームギア（８）を設ける。
ト）  軽量かつ耐久性のある軽量部材、例えば、軽量発泡アルミニウム材料や炭素繊維などを用いて木ペグに見立てた摘み部分（５）を設ける。
チ）  各弦が巻軸（３）に結べる様に弦挿通孔（９）を設ける。
リ）  弦を弦挿通孔（９）に巻きつける。
ヌ）  弦は上記、巻軸（３）の弦挿通孔（９）に挿通されて巻軸を直径方向に貫通せしめられるよう設ける。
ル）  軽量かつ耐久性のある部材を用いて木ペグに見立てた摘み（５）を回すことで巻軸（３）が回る。
調弦しやすいクラシックギター用マシンヘッドは以上のような構造である。
【００１６】  本発明を使用するときは、木ペグに見立てた摘み（５）を回すことで弦を緩めたり張ったり出来、その結果、音の調整が可能になる。巻軸（３）を有しており、巻軸（３）にはウオームホイール（２）が連結され、ウオームギア（８）と歯合している。本案糸巻具はこのようなものであるから、弦端を弦挿通孔（９）に通して巻軸（３）に挿通し、巻軸（３）を回転させる事でギター弦（１２）を巻取る事が出来る。
【００１７】  マシンヘッドペグのデザインは従来のスペイン式フラメンコ用木ペグでもその制作者の自由な発想により創作できるものである。本発明でもマシンヘッドペグのデザインは、その構造上どういったデザインでも機能には影響されない事から自由な発想でいろいろなマシンヘッドの摘み部分であるペグのデザインが可能である。
【符号の説明】
【００１８】１  マシンヘッド本体、２  ウオームホイール、３  巻軸、４  ペグ、５  木ペグに見立てた摘み、６  摘み、７  ギターヘッド、８  ウオームギア、９  弦挿通孔、１０  軸通孔、１１  溝、１２  ギター弦、１３  木ペグ、１４  木ペグ用ギターヘッド
【図１】
2016024455.tif 000003
【図２】
2016024455.tif 000004
【図３】
2016024455.tif 000005
【図４】
2016024455.tif 000006
【図５】
2016024455.tif 000007